(57)【要約】【課題】減圧弁の交換を容易にすることができる減圧弁付き接続具を提供する。【解決手段】給水栓と給水配管とを接続する減圧弁付き接続具であって、中空部２６が形成された本体２０と、中空部２６の内周面に沿って挿入された減圧弁４０と、本体２０に形成された開口２０ｂを塞ぐ蓋２１とを備え、蓋２１と減圧弁４０とが直列的に配置されており、蓋２１は本体２０に対し着脱可能であり、蓋２１を本体２０から取り外した際に、本体２０の開口２０ｂを介して本体２０に対する減圧弁４０の出し入れが可能である。このことにより、接続具全体を交換することなく、減圧弁だけの交換が可能になり、給水栓の設置状態を維持した状態での減圧弁の交換も可能になる。【選択図】図５
2012132234.tif 000002
【特許請求の範囲】
【請求項１】
給水栓と給水配管とを接続する減圧弁付き接続具であって、
中空部が形成された本体と、
前記中空部の内周面に沿って挿入された減圧弁と、
前記本体に形成された開口を塞ぐ蓋とを備え、
前記蓋と前記減圧弁とが直列的に配置されており、
前記蓋は前記本体に対し着脱可能であり、
前記蓋を前記本体から取り外した際に、前記本体の前記開口を介して前記本体に対する前記減圧弁の出し入れが可能であることを特徴とする減圧弁付き接続具。
【請求項２】
前記蓋と前記減圧弁との間に管状部材が介在している請求項１に記載の減圧弁付き接続具。
【請求項３】
前記減圧弁は、前記本体と螺合することなく前記本体内に配置されている請求項１又は２に記載の減圧弁付き接続具。
【請求項４】
前記給水栓に接続される流出側接続管が前記本体から立設しており、前記減圧弁は、前記減圧弁の軸方向が前記流出側接続管の立設方向になるように配置されている請求項１から３のいずれかに記載の減圧弁付き接続具。
【発明の詳細な説明】
【技術分野】
【０００１】
本発明は、給水栓と配管とを接続する接続具に減圧弁を内蔵した減圧弁付き接続具に関する。
【背景技術】
【０００２】
洗面台や浴槽に湯水を供給するための器具として、給水栓が用いられている。適温の吐出流を供給するための給水栓には、湯用配管と水用配管とが接続されている。給水栓に備えたレバー、摘み等を調節することにより、湯量と水量との配分を変化させ、適温の吐出流が得られることになる。
【０００３】
給水栓へ供給される湯や水の水圧を所定の圧力以下に抑えるために、減圧弁を用いる場合がある。例えば下記特許文献１には、給水栓と湯用配管の端末部との間、及び給水栓と水用配管の端末部との間のそれぞれに、減圧弁を介在させて使用する例が記載されている。
【先行技術文献】
【特許文献】
【０００４】
【特許文献１】特開２００２−１２１７８４号公報
【発明の概要】
【発明が解決しようとする課題】
【０００５】
減圧弁は弁の開閉にスプリングを用いており、スプリングのばね定数が異なれば、減圧できる水圧の範囲も異なることになる。したがって、減圧弁を用いる場合には、適切なばね定数のスプリングを備えた減圧弁を用いる必要がある。
【０００６】
一方、減圧弁により制限すべき水圧の範囲は、給水栓の設置場所によって異なる。このため、減圧弁内のスプリングのばね定数を決定するには、給水栓の設置場所における確認作業が必要であった。この場合、取り付けた減圧弁が適切でなければ、ばね定数の異なるスプリングを備えた減圧弁に交換して再度確認作業を行うことになる。
【０００７】
前記特許文献１の図１、２の構成では、減圧弁を交換するには、減圧弁付きの水栓本体を２個の接続具から取り外した後、水栓本体から減圧弁を取り外す必要がある。また、２個の減圧弁のうち片方の減圧弁のみの交換が必要な場合であっても、一旦水栓本体を２個の接続具から取り外す必要があった。したがって、特許文献１の構成は、給水栓設備を設置した後に、減圧弁を交換するには適した構成ではなかった。
【０００８】
本発明は、前記のような従来の問題を解決するためのものであり、減圧弁の交換を容易にすることができる減圧弁付き接続具を提供することを目的とする。
【課題を解決するための手段】
【０００９】
前記目的を達成するために、本発明の減圧弁付き接続具は、給水栓と給水配管とを接続する減圧弁付き接続具であって、中空部が形成された本体と、前記中空部の内周面に沿って挿入された減圧弁と、前記本体に形成された開口を塞ぐ蓋とを備え、前記蓋と前記減圧弁とが直列的に配置されており、前記蓋は前記本体に対し着脱可能であり、前記蓋を前記本体から取り外した際に、前記本体の前記開口を介して前記本体に対する前記減圧弁の出し入れが可能であることを特徴とする。
【００１０】
この構成によれば、蓋を接続具の本体から取り外すことにより、減圧弁の出し入れが可能であるので、接続具全体を交換することなく、減圧弁だけの交換が可能になる。また、蓋の固定は接続具への固定で完結するので、蓋の取り外しのために、接続具を給水栓や給水配管から取り外す必要はなく、給水栓の設置状態において減圧弁の交換が可能になる。さらに、蓋と減圧弁とは直列的に配置されていることにより、減圧弁の本体からの取り出し及び減圧弁の本体への収納も容易になる。したがって、本発明の減圧弁付き接続具によれば、給水栓の設置場所において、減圧弁の交換をしつつ適切なばね定数のスプリングを備えた減圧弁の選択する際の作業が容易になる。あわせて、減圧弁が製品寿命に達したときの交換作業も容易になる。
【００１１】
前記本発明の減圧弁付き接続具においては、前記蓋と前記減圧弁との間に管状部材が介在していることが好ましい。この構成によれば、螺合を用いることなく、簡単な構造で、本体内における減圧弁の固定を確実にすることができる。また、管状部材を配置しても、管状部材の中空部を水が流動するので、本体内の水の流れが妨げられることはない。
【００１２】
また、前記減圧弁は、前記本体と螺合することなく前記本体内に配置されていることが好ましい。この構成によれば、減圧弁交換がより容易になる。
【００１３】
さらに、前記給水栓に接続される流出側接続管が前記本体から立設しており、前記減圧弁は、前記減圧弁の軸方向が前記流出側接続管の立設方向になるように配置されていることが好ましい。この構成によれば、流出用接続管の先端の出代寸法を短くできる。このことにより、接続具に接続された給水栓に荷重が加わった際に、接続具の給水配管側の取り付け部が受ける荷重を小さくでき、接続具の破損防止や脱落防止に有利になる。
【発明の効果】
【００１４】
本発明によれば、接続具全体を交換することなく、減圧弁だけの交換が可能になり、給水栓の設置状態を維持した状態で減圧弁の交換が可能になる。さらに、さらに、蓋と減圧弁とは直列的に配置されていることにより、減圧弁の本体からの取り出し及び減圧弁の本体への収納も容易になる。このことにより、給水栓の設置場所において、減圧弁の交換をしつつ適切なばね定数のスプリングを備えた減圧弁の選択する際の作業が容易になる。あわせて、減圧弁が製品寿命に達したときの交換作業も容易になる。
【図面の簡単な説明】
【００１５】
【図１】本発明の一実施の形態に係る減圧弁付き接続具を、浴室用の給水栓に取り付けた状態を示す斜視図。
【図２】図１に示した接続具１の近傍を示す平面図。
【図３】本発明の一実施の形態において、接続具１を給水栓３及び水用配管１４に接続する前の状態を示す側面図。
【図４】本発明の一実施の形態に係る接続具１を壁面２に固定した状態における縦断面図。
【図５】図４の接続具１から減圧弁４０を取り外した状態を示す分解図。
【図６】減圧弁の一例を示す断面図。
【図７】本発明の別の実施の形態に係る接続具の縦断面図。
【図８】図７の接続具１aから減圧弁４０を取り外した状態を示す分解図。
【発明を実施するための形態】
【００１６】
以下、本発明の一実施の形態に係る減圧弁付き接続具について、図面を参照しながら説明する。図１は、本実施の形態に係る減圧弁付き接続具（以下、単に「接続具」という。）を、浴室用の給水栓に取り付けた状態を示す斜視図である。図２は、図１の接続具１近傍を示す平面図である。
【００１７】
図１では、浴室の壁面２に接続具１が取り付けられている。図２に示したように、壁面２には２個の接続具１が取り付けられている。２個の接続具１のうち、一方の接続具１は壁面２に内蔵された水用配管１４に接続されており、他方の接続具１は壁面２に内蔵された湯用配管１５に接続されている。水用配管１４及び湯用配管１５は、それぞれ水、湯が供給される給水配管である。
【００１８】
図２に示したように、各接続具１には給水栓３が接続されている。図１、２に示したように、給水栓３には、２個の流量調節用摘み４が設けられており、吐出部６（図１）に導く湯量と水量とをそれぞれ別個に調節することが可能である。このことにより、図１において、吐出部６から使用者の求める適温の吐出流が浴槽１０内に吐出されることになる。
【００１９】
図１に示したように、給水栓３には、チューブ８が接続されており、チューブ８の先端には、シャワーヘッド７が取り付けられている。給水栓３には切り替え摘み９が設けられており、吐出部６から吐出をシャワーヘッド７からの吐出に切り替えることができる。
【００２０】
図３は、接続具１を給水栓３及び水用配管１４に接続する前の状態を示す側面図である。図３は水用配管１４側を図示しているが、湯用配管１５（図２）側についても同じ構造である。接続具１は、本体２０が蓋２１で塞がれている。接続具１の上側には、ケース部２２が設けられ、ケース部２２内に流出用接続管２３（図４）が挿入されている。接続具１の下側には流入用接続管２５が設けられている。流入用接続管２５には、水用配管１４からの水が流入する。この水は、接続具１の内部を流動し流出用接続管２３を経て流出することになる。
【００２１】
流入用接続管２５の外周面及び水用配管１４の内周面には、ねじが形成されている。接続具１全体を流入用接続管２５の軸回りに回転させながら、流入用接続管２５を水用配管１４に螺合させることにより、流入用接続管２５が水用配管１４に固定されることになる。このことにより、接続具１が壁面２に固定されることになる。
【００２２】
一方、給水栓３には、外周面にねじが形成された接続管１６が形成されている。接続具１の流出用接続管２３には、内周面にねじが形成されたナット２４が取り付けられている。ナット２４を回転させながら、ナット２４を接続管１６に螺合させることにより、接続管１６に接続具１が接続されることになる。このことにより、接続具１が給水栓３に固定されることになる。
【００２３】
同様に、湯用配管１５（図２）側の接続具１を、壁面２及び給水栓３に固定することにより、図２に示したように、給水栓３が２個の接続具１を介して壁面２に取り付けられた状態になる。
【００２４】
図４は、接続具１を壁面２に固定した状態における縦断面図を示している。図５は、図４の接続具１から減圧弁４０を取り外した状態を示す分解図である。図５に示したように、本体２０は縦筒部２０ａを備えており、縦筒部２０ａには中空部２６が形成されている。中空部２６の内周面に沿って減圧弁４０を縦筒部２０ａ内に挿入することにより、図４に示したように、縦筒部２０ａ内に減圧弁４０が内蔵された状態になる。減圧弁４０と縦筒部２０ａの内周面との間のシール性を向上させるために、縦筒部２０ａの内周面にＯリング３３を取り付けてもよい。図４、５では、減圧弁４０の内部構造の図示は省略しており、内部構造については、後に図６を参照しながら説明する。
【００２５】
図４において、本体２０の下部には、横配管２７が取り付けられている。横配管２７の端部に締付部材２８が螺合することにより、横配管２７が本体２０に固定されている。横配管２７には、流入用接続管２５が一体になっている。前記の通り、流入用接続管２５には、図２に示した水用配管１４又は湯用配管１５が接続されることになる。
【００２６】
本体２０の上部には、ケース部２２が設けられている。ケース部２２に流出用接続管２３が螺合して固定されている。図３を用いて説明した通り、ナット２４を給水栓３の接続管１６（図３）に螺合させることにより、接続管１６に流出用接続管２３が接続されることになる。
【００２７】
蓋２１の外周面及び本体２０の端部近傍の内周面には、ねじが形成されている。蓋２１を回転させながら、蓋２１を本体２０に螺合させることにより、蓋２１は本体２０に固定されることになる。蓋２１と減圧弁４０との間には、管状部材２２が介在している。このことにより、減圧弁４０は縦筒部２０ａ内部の面２９と管状部材２２とで位置移動が規制されることになる。この構成では、螺合を用いることなく、簡単な構造で本体内における減圧弁４０の固定を確実にすることができる。管状部材２２が減圧弁４０を押圧するようにすれば、減圧弁４０の固定はより確実になる。また、管状部材２２を配置しても、管状部材２２の中空部を水が流動するので、本体２０内の水の流れが妨げられることはない。
【００２８】
図４の状態から、本体２０に螺合した蓋２１を回転させて螺合を緩めることにより、蓋２１を本体２０から取り外すことができる。このことにより、図５に示したように、本体２０の開口２０ｂから、管状部材２２及び減圧弁４０を取り出すことができ、減圧弁４０の交換が可能になる。減圧弁４０の交換の理由や交換作業の詳細は、減圧弁４０の詳細を説明した後に説明する。
【００２９】
以下、図６を参照しながら、減圧弁４０の詳細を説明する。図６では、説明の便宜上、減圧弁４０に加え管状部材２２も図示している。図１、２における２個の接続具１には、それぞれ減圧弁４０を内蔵しているが、各減圧弁４０の構造は同じであり、減圧弁４０内における湯や水の流動状態についても同じである。以下の説明では、減圧弁４０内に水用配管１４（図２）からの水が流動する場合について説明する。
【００３０】
減圧弁４０は、筒体４１と筒体４２とが螺合して本体４３を形成している。本体４３内には、ストレーナ４５、弁座部材４６及弁体５０が直列的に配置されている。ストレーナ４５は網状体であり、水の通過が可能である。弁座部材４６には開口４８が形成されており、ストレーナ４５を通過した水は開口４８を経て、弁座部材４６を通過することができる。弁体５０は管状部５１を備えており、管状部５１の端部を囲むように、受圧部５２を形成している。
【００３１】
減圧弁４０内には、さらに支持部材５４及びガイド５５が直列的に配置されている。支持部材５４及びガイド５５は、中央部に開口を形成しており、これらの開口を弁体５０の管状部５１が挿通している。ガイド５５の外周部は、筒体４１１の端面で押さえられている。支持部材５４の下端面は、筒体４２の面４２ａ上の弁座部材４６に当接している。このため、支持部材５４及びガイド５５は、本体４３内において、位置移動が規制されて固定されている。
【００３２】
弁体５０の受圧部５２とガイド５５との間には、スプリング６０が配置されている。スプリング６０は、線材がコイル状に巻回されたものであり、スプリング６０の内周側を弁体５０の管状部５１が挿通している。弁体５０の受圧部５２は、外周面が筒体４１の内周面に、Ｏリング５８でシールされた状態ではめ込まれている。弁体５０は、受圧部５２の外周面が筒体４１の内周面上を摺動しながら、減圧弁４０の軸方向に、弁座部材４６に向かって移動可能である。この移動による空気の流通のために、本体４３には空気抜き穴（図示せず）が形成されている。
【００３３】
図４において、横配管２７内を矢印ａ、ｂ方向に進んだ水は、図６において減圧弁４０の流入口４４から減圧弁４０内に流入する（矢印ｄ）。減圧弁４０内に流入した水は、ストレーナ４５を通過して、弁座部材４６に形成された開口４８を通過する（矢印ｅ）。開口４８を通過した水は、弁体５０の管状部５１内に流入する（矢印ｆ）。管状部５１内を通過した水は、管状部材２２内に流入し、開口２２ａを経て（矢印ｇ）、流出用接続管２３（図４）に至り、接続具１から流出する（図４の矢印ｃ）。
【００３４】
以下の説明において、減圧弁４０への水の流入側（流入口４４側）を１次側と呼び、減圧弁４０からの水の流出側（管状部材２２側）を２次側と呼ぶ。２次側の圧力が上がると、受圧部５２の受圧面５２ａに加わる圧力が増加する。この圧力が一定圧以上になると、スプリング６０が圧縮されながら、弁体５０は弁座部材４６に向かって移動することになる。
【００３５】
弁体５０の移動量が増加すると、弁体５０の管状部５１の開口５３内に弁座４７が進入し、開口５３の開口面積が狭められ、２次側の水圧が低下することになる。２次側の圧力が設定圧以上であれば、管状部５１の開口５３が弁座４７で完全に塞がれ、２次側への水の供給が停止することになる。この際、給水栓３の吐出部６（図１）から水が吐出することにより、２次側の圧力が低下し受圧面５２ａに加わる圧力も低下する。
【００３６】
この場合、スプリング６０の反発力により、弁体５０は管状部材２２側に向かって移動することになる。この移動により、管状部５１の開口５３が弁座４７から遠ざかるので、２次側への水の供給が再開することになる。これ以降において、２次側の圧力が増加した場合は、前記の動作が繰り返されることになる。したがって、本実施の形態においては、給水配管に減圧弁４０が介在していることにより、２次側の圧力は設定圧力以下に抑えられることになる。
【００３７】
２次側設定圧は、減圧弁４０内のスプリング６０（図６）のばね定数を変化させることにより調節可能である。一方、１次側圧力の変動範囲は設置場所によって異なり、２次側設定圧を接続具１の設置前に事前に決定することは困難である。したがって、２次側設定圧は設置場所において確認作業を行いながら決定することになる。確認作業を確実にするには、図１に示したように、給水栓３を設置した状態で行う必要がある。２次側の圧力が許容範囲内に収まらない場合は、接続部１内の減圧弁４０を交換して、再度確認作業を行うことになる。この場合、交換後の減圧弁４０を、交換前の減圧弁４０に比べばね６０のばね定数が異なるものとすることにより、２次側設定圧を変更することができる。
【００３８】
以下、減圧弁４０の交換作業について説明する。図４に示したように、減圧弁４０は、縦筒部２０ａ内に収納されているので、減圧弁４０の交換の際には、減圧弁４０を内蔵した縦筒部２０ａ内への水の供給を止めておく必要がある。図４に示したように、接続具１は止水弁３０を備えている。止水弁３０には、パッキン３１がねじ３２により固定されている。止水弁３０を回転移動させることにより、流入用接続管２５内の流路を塞ぐことができ、矢印ａ、ｂ方向の水の流れを止めることができる。このことにより、減圧弁４０の交換の際には、作業場所から離れることなく、減圧弁４０を内蔵した縦筒部２０ａ内へ水の供給を止めることができる。
【００３９】
前記のとおり、図５に示したように、本体２０から蓋２１を取り外すことにより、減圧弁４０を接続具１から取り外すことができる。蓋２１の固定は、接続具１への固定により完結している。このため、蓋２１の取り外しは図１、２のように、給水栓３の設置状態で可能である。したがって、蓋２１の取り外しの際には、給水栓３を接続具１から取り外す必要はなく、接続具１を壁面２から取り外す必要もない。このため、取り外した部品の持ち運びは不要になり、取り外した部品の設置スペースも不要となる。
【００４０】
また、図４、５に示したように蓋２１と減圧弁４０とは直列的に配置されている。このことにより、減圧弁４０の取り出しが容易になるとともに、減圧弁４０の収納も容易になる。さらに、減圧弁４０を本体２０と螺合させることなく、本体２０内に配置するようにすれば、減圧弁４０の出し入れがより容易になる。この場合、減圧弁４０の出し入れに必要な工具は、簡易な工具で足りることになる。
【００４１】
減圧弁４０を取り出した後の接続具１に、新たな減圧弁４０を接続具１に収納する際には、前記と逆の手順を行えばよい。この場合も、給水栓３及び接続具１を取り外すことなく、作業することが可能になる。したがって、本実施の形態の接続具１によれば、給水栓３及び接続具１の設置状態を維持しつつ、減圧弁４０を容易に交換することが可能になる。このため、本実施の形態の接続具１は、例えばホテル等において、多数の部屋に、給水栓設備を設置する場合に適している。
【００４２】
減圧弁４０の交換の際には、スプリング６０のばね定数の異なる複数の減圧弁４０を用意しておき、減圧弁４０を交換しながら、最適な減圧弁４０を選択してもよい。この方法では、減圧弁４０の分解によるスプリング６０の交換作業は不要になる。
【００４３】
また、前記の例では、給水栓設備の設置時における減圧弁４０の交換について説明したが、給水栓設備の設置を終え、実際に使用を開始した後においても、減圧弁４０の交換が必要な場合がある。図６を用いて説明したように、減圧弁４０内には可動部があり、可動部が消耗し本来の性能が発揮できない状態になったときには、減圧弁４０の交換が必要になる。この場合においても、本実施の形態の接続具１によれば、給水栓設備の設置の場合と同様に、減圧弁４０を容易に交換することが可能になる。
【００４４】
図７は、本発明の別の実施の形態に係る接続具１ａの縦断面図を示している。図７では、図４に示した接続具１と同一構成の部分には、同一番号を付してその説明は省略する。図７の接続具１ａは、構成部品の配置及び流路構成が図４の接続具１と異なっている。このことにより、接続具１ａは接続具１に比べ、流出用接続管２３の先端の壁面からの出代寸法ｄ２を短くしている。出代寸法ｄ２を短くすることにより、図１、２において、給水栓３の壁面２からの出代寸法も短くなる。この構成によれば、給水栓３に荷重が加わった際の、接続具１ａの壁面２への取り付け部が受ける荷重を小さくでき、接続具１ａの破損防止や脱落防止に有利になる。
【００４５】
以下の説明は、接続具１ａを水用配管１４に接続した例で説明するが、湯用配管１５に接続した場合も同様である。図７において、本体６１は縦筒部６１ａと横筒部６１ｂとを備えている。縦筒部６１ａには流出用接続管２３が横向きに設けられており、横筒部６１ｂ内には減圧弁４０が内蔵されている。水用配管１４から流入用接続管２５に水が供給され（矢印ｈ）、この水は減圧弁４０内に流入する（矢印ｉ）。減圧弁４０内における水の流動状態は、図６の矢印ｄ、ｅ、ｆ及びｇで示した通りである。減圧弁４０から流出した水は、管状部材２２の流出口２２ａから流出し（矢印ｋ)、流路６３及び流路６４を通り（矢印ｌ、ｍ）、流出用接続管２３から流出する（矢印ｎ）。
【００４６】
図４では接続管１の設置状態おいて、減圧弁４０が縦置きされているのに対し、図７では接続管１aの設置状態において、減圧弁４０が横置きされている。すなわち、減圧弁４０は、減圧弁４０の軸方向が流出側接続管２３の立設方向になるように配置されている。図４の接続管１においては、縦筒部２０ａに減圧弁４０を内蔵しているので、縦筒部２０ａの内径は減圧弁４０の径より大きくする必要がある。これに対し、図７の接続管１aにおいては、縦筒部６１ａ内には減圧弁４０を内蔵していないので、縦筒部６１ａ内は水の流路が確保されていれば足りることになる。
【００４７】
このため、図７の縦筒部６１ａの外径は、図４の縦筒部２０ａの外径よりも小さくすることができる。このことにより、図７に示した縦筒部６１ａの壁面２からの出代寸法ｄ１は、図４に示した縦筒部２０ａの壁面２からの出代寸法ｄ１よりも短くすることができる。したがって、接続具１aは接続具１に比べ、流出用接続管２３の先端の壁面２からの出代寸法ｄ２を短くすることができる。図７では、流出用接続管２３が縦筒部６１ａ内に埋設しているが、図４と同様の配置にした場合であっても、図７の出代寸法ｄ２が図４の出代寸法ｄ２より小さくなることには変わりない。
【００４８】
図１、２において、給水栓３に人がもたれかかる等により荷重が加わった場合には、給水栓３に直接接続されている図７の流出用接続管２３を介して、接続具１ａに荷重が加わることになる。この荷重印加により、接続具１ａの壁面２への取り付け部に荷重が集中することになる。図７の構成のように、流出用接続管２３の出代寸法ｄ２を短くすることにより、給水栓３に荷重が加わった際の、接続具１ａの壁面２への取り付け部が受ける荷重を小さくでき、接続具１ａの破損防止や脱落防止に有利になる。
【００４９】
図８は、図７の接続具１aから減圧弁４０を取り外した状態を示す分解図である。図７の状態から、本体６１に螺合した蓋２１を回転させて螺合を緩めることにより、蓋２１を本体６１から取り外すことができる。図８は、横筒部６１ｂの中空部６２に収納されていた管状部材２２及び減圧弁４０を、横筒部６１ｂの開口６１ｃから取り出した状態を示している。
【００５０】
図７の構成においても、図４の構成と同様に、蓋２１と減圧弁４０とは直列的に配置されている。このことにより、減圧弁４０の取り出しが容易になるとともに、減圧弁４０の収納も容易になる。また、減圧弁４０を本体６１と螺合させることなく、本体６１内に配置するようにすれば、減圧弁４０の出し入れがより容易になる点も図４の構成と同様である。さらに、蓋２１の取り外しについても、図４の構成と同様に、図１、２のように給水栓３の設置が完了している状態で可能である。すなわち、蓋２１の取り外しの際には、給水栓３を接続具１から取り外す必要はなく、接続具１を壁面２から取り外す必要もない。このため、減圧弁４０の接続具１aに対する出し入れは容易であり、減圧弁４０の交換は容易になる。
【００５１】
前記実施形態においては、減圧弁４０は図６に示した構成の例で説明したが、この構成に限るものではない。２次側圧力が上昇した際に、スプリング６０のばね圧に抗して弁体５０が移動し、弁体５０の開口部が弁座４７で塞がれる内部構造であれば、他の構成であってもよい。また、本体４３の形状についても、接続具の中空部に収納可能な形状であれば、他の形状であってもよい。
【符号の説明】
【００５２】
１，１ａ  接続具
３  給水栓
１４  水用配管
１５  湯用配管
２０，６１  本体
２０ｂ，６１ｃ  開口
２１  蓋
２２  管状部材
２３  流出側接続管
２５  流入側接続管
２６，６２  中空部
【図１】
2012132234.tif 000003
【図２】
2012132234.tif 000004
【図３】
2012132234.tif 000005
【図４】
2012132234.tif 000006
【図５】
2012132234.tif 000007
【図６】
2012132234.tif 000008
【図７】
2012132234.tif 000009
【図８】
2012132234.tif 000010